(57)【特許請求の範囲】
【請求項１】
野地板と軒天との隙間に配置された下地材を隠蔽する化粧部材を用いる軒先通気構造であって、
前記化粧部材は、
前記軒天と対向する位置の表面が前記通気経路を画定する経路画定領域として形成されている板状本体と、
前記通気経路内に設けられ、前記板状本体の幅方向に延在する通気フィルタ部材と、
前記経路画定領域の対向位置に前記板状本体の幅方向に延在して設けられ、前記板状本体と協働して前記通気経路を画定しかつ前記通気フィルタ部を狭持するフィルタ保持部と、
通気フィルタ部材を収容する収容部を有し、前記幅方向に間欠的に設けられ、前記板状本体と前記フィルタ保持部を連結する連結部と、を備えることを特徴とする、軒先通気構造。
【請求項２】
野地板と軒天との隙間に配置された下地材を隠蔽する化粧部材を用いる軒先通気構造であって、
前記化粧部材は、
前記軒天と対向する位置の表面が前記通気経路を画定する経路画定領域として形成されている板状本体と、
前記通気経路内に設けられ、前記板状本体の幅方向に延在する通気フィルタ部材と、
前記経路画定領域の対向位置に前記板状本体の幅方向に延在して設けられ、前記板状本体と協働して前記通気経路を画定しかつ前記通気フィルタ部を狭持するフィルタ保持部と、
前記フィルタ保持部を前記下地材に連結する、前記幅方向に間欠的に設けられた連結部を有することを特徴とする、軒先通気構造。
【請求項３】
フィルタ保持部は、前記軒天の下側へ張り出す張り出し部を備えることを特徴とする、請求項１又は２に記載の軒先通気構造。
【請求項４】
野地板と軒天との隙間に配置された下地材を隠蔽する化粧部材であって、
前記軒天と対向する位置の表面が通気経路を画定する経路画定領域として形成されている板状本体と、
前記通気経路内に設けられ、前記板状本体の幅方向に延在する通気フィルタ部材と、
前記経路画定領域の対向位置に前記板状本体の幅方向に延在して設けられ、前記板状本体と協働して前記通気経路を画定しかつ前記通気フィルタ部を狭持するフィルタ保持部と、
通気フィルタ部材を収容する収容部を有し、前記幅方向に間欠的に設けられ、前記板状本体と前記フィルタ保持部を連結する連結部と、を備えることを特徴とする、化粧部材。
【請求項５】
野地板と軒天との隙間に配置された下地材を隠蔽する化粧部材であって、
前記軒天と対向する位置の表面が通気経路を画定する経路画定領域として形成されている板状本体と、
前記通気経路内に設けられ、前記板状本体の幅方向に延在する通気フィルタ部材と、
前記経路画定領域の対向位置に前記板状本体の幅方向に延在して設けられ、前記板状本体と協働して前記通気経路を画定しかつ前記通気フィルタ部を狭持するフィルタ保持部と、
前記フィルタ保持部を前記下地材に連結する、前記幅方向に間欠的に設けられた連結部を有することを特徴とする、化粧部材。
【請求項６】
フィルタ保持部は、前記軒天の下側へ張り出す張り出し部を備えることを特徴とする、請求項４又は５に記載の化粧部材。
【発明の詳細な説明】
【技術分野】
【０００１】
本発明は、屋根の軒先を装飾すると共に、屋根裏と外気との間の換気を行なう通気経路が形成された軒先通気構造及び当該軒先通気構造に用いられる破風板あるいは鼻隠し等の化粧部材に関する。
【背景技術】
【０００２】
従来の軒天井の取り付けなどに関する軒先の構造では、屋根裏の劣化防止や法上の要請から、通気構造を備えたものが求められている。通気構造を有する軒先構造の例としては、特許文献１に開示されているものが知られている。
【０００３】
特許文献１に記載された軒先通気構造は、破風板を略Ｌ字状に形成し、板状をなす破風板本体部と、この破風板本体部の下部側から側方に向けて突き出す張出し部とを一体に備え、且つ該張出し部に換気口が備えられていることを特徴とする破風板材をけらばに取付けることによって、該部に天井裏通気口を構成する。
【０００４】
また、特許文献２に記載された軒先通気構造は、垂木及び軒天や野縁の先端に下地材を取り付け、軒天の縁及び下地材の下面に通気胴縁を取り付けている。そして、通気胴縁に軒天を固定することで、軒天の縁及び下地材と軒天との間に、通気胴縁の厚さ分の隙間を設けている。また、下地に固定されるあご付窯業系軒先カバー部材（以下、あご付カバー部材という）をＬ字状に構成し、あごの上面には、あご溝を形成して、あごの上面と、軒天の下面とが接触し、かつ、あご付カバー部材の裏面に軒天の先端が当接しないように、あご付カバー部材を下地に取り付ける。これにより、軒天の縁とあご付カバー部材の裏面との間に隙間が形成される。
【０００５】
上記あご溝は、あごの基端から先端まで形成されており、あご付カバー部材の長手方向に沿って、一定間隔を置いて多数形成されている。よって、あご溝から軒天の縁とあご付カバー部材との隙間を抜け、さらに、通気胴縁によってできた野縁と軒天との隙間を通過する通路が形成され、この通路によって屋根裏と外気との換気が行なわれる。
【先行技術文献】
【特許文献】
【０００６】
【特許文献１】特開平７−２２９２５６号公報
【特許文献２】特開２００５−６１１０３号公報
【発明の概要】
【発明が解決しようとする課題】
【０００７】
特許文献１に記載された軒先通気構造では、本体部及び当該本体部の下端に設けられた張り出し部に軒天（天井板）を突き当て、板部内に先端が収まるようにして軒天を取り付ける。しかし、軒天は、現場で軒先の寸法に応じて板材を切断することによりサイズ調整を行うため、軒天の先端が破風板に当接するように施工することは現場の負担が大きく、取り付け作業も煩雑であった。また、換気口は上下方向に連通しまた、その距離も張り出し部の厚み寸法分しかないため、風の吹き込みなどによる雨水浸水や虫の侵入といった問題があった。
【０００８】
また、特許文献２に記載された軒先通気構造においては、屋根裏と外気との換気を行なうための通路を形成するために、野縁と軒天井との間に間隙を設ける必要があるため、野縁に通気胴縁を取り付けなければならず、材料費や作業工程の増加を招く結果となっていた。さらに、あご付カバー部材のあご溝は野縁の延在方向に向かって伸びるように形成されており、あご付カバー部材の長手方向に並列されるため、あご付カバー部材の製造工程において、広く用いられている押し出し成形による製造が困難であるという問題がある。
【０００９】
また、軒天井は、施工ごとに大きさが若干異なり、野縁からの突出量が変動する場合がある。この場合、上記の軒先通気構造においては、換気のための通路が狭く、軒天井の大きさによっては、通路の断面積が消防法上求められている一定以上の断面積を確保することが困難となる場合があった。この場合、一定以上の断面積を確保するために、化粧部材を切削するなどの工程が必要であり、作業の手間が煩雑であった。
【００１０】
したがって、本発明が解決しようとする技術的課題は、十分な大きさの通気路を確保することができ、水や虫などの侵入を防止することができる軒先通気構造及び化粧部材を提供することである。
【課題を解決するための手段】
【００１１】
本発明は、上記技術的課題を解決するために、以下の構成の軒先通気構造及び化粧部材を提供する。
【００１２】
本発明の第１態様によれば、
野地板と軒天との隙間に配置された下地材を隠蔽する化粧部材を用いる軒先通気構造であって、
前記化粧部材は、
前記軒天と対向する位置の表面が前記通気経路を画定する経路画定領域として形成されている板状本体と、
前記通気経路内に設けられ、前記板状本体の幅方向に延在する通気フィルタ部材と、
前記経路画定領域の対向位置に前記板状本体の幅方向に延在して設けられ、前記板状本体と協働して前記通気経路を画定しかつ前記通気フィルタ部を狭持するフィルタ保持部と、
通気フィルタ部材を収容する収容部を有し、前記幅方向に間欠的に設けられ、前記板状本体と前記フィルタ保持部を連結する連結部と、を備えることを特徴とする、軒先通気構造を提供する。
【００１３】
本発明の第２態様によれば、野地板と軒天との隙間に配置された下地材を隠蔽する化粧部材を用いる軒先通気構造であって、
前記化粧部材は、
前記軒天と対向する位置の表面が前記通気経路を画定する経路画定領域として形成されている板状本体と、
前記通気経路内に設けられ、前記板状本体の幅方向に延在する通気フィルタ部材と、
前記経路画定領域の対向位置に前記板状本体の幅方向に延在して設けられ、前記板状本体と協働して前記通気経路を画定しかつ前記通気フィルタ部を狭持するフィルタ保持部と、
前記フィルタ保持部を前記下地材に連結する、前記幅方向に間欠的に設けられた連結部を有することを特徴とする、軒先通気構造を提供する。
【００１４】
本発明の第３態様によれば、フィルタ保持部は、前記軒天の下側へ張り出す張り出し部を備えることを特徴とする、第１又は第２態様の軒先通気構造を提供する。
【００１５】
本発明の第４態様によれば、野地板と軒天との隙間に配置された下地材を隠蔽する化粧部材であって、
前記軒天と対向する位置の表面が通気経路を画定する経路画定領域として形成されている板状本体と、
前記通気経路内に設けられ、前記板状本体の幅方向に延在する通気フィルタ部材と、
前記経路画定領域の対向位置に前記板状本体の幅方向に延在して設けられ、前記板状本体と協働して前記通気経路を画定しかつ前記通気フィルタ部を狭持するフィルタ保持部と、
通気フィルタ部材を収容する収容部を有し、前記幅方向に間欠的に設けられ、前記板状本体と前記フィルタ保持部を連結する連結部と、を備えることを特徴とする、化粧部材を提供する。
【００１６】
本発明の第５態様によれば、野地板と軒天との隙間に配置された下地材を隠蔽する化粧部材であって、
前記軒天と対向する位置の表面が通気経路を画定する経路画定領域として形成されている板状本体と、
前記通気経路内に設けられ、前記板状本体の幅方向に延在する通気フィルタ部材と、
前記経路画定領域の対向位置に前記板状本体の幅方向に延在して設けられ、前記板状本体と協働して前記通気経路を画定しかつ前記通気フィルタ部を狭持するフィルタ保持部と、
前記フィルタ保持部を前記下地材に連結する、前記幅方向に間欠的に設けられた連結部を有することを特徴とする、化粧部材を提供する。
【００１７】
本発明の第６態様によれば、フィルタ保持部は、前記軒天の下側へ張り出す張り出し部を備えることを特徴とする、第４又は第５態様の化粧部材を提供する。
【発明の効果】
【００２２】
本発明によれば、板状本体及び板状本体の主面に沿って設けられたフィルタ保持部によって通気経路を画定するため、通気経路を大きくすることができ、軒下の換気を効率よく行うことができる。また、当該通気経路内に通気フィルタ部材を設けることによって、風の吹き込み等による雨水の浸水や虫の侵入などを防止することができる。また、通気フィルタ部材は、板状本体とフィルタ保持部によって狭持されて強固に保持することができる。
【００２３】
上記本発明の態様において、溝形成部の前面に張り出し部を設けることにより、軒天先端を隠蔽することができる。
【００２４】
上記本発明の態様において、間欠的に設けられた連結部を用いて板状本体又は下地材にフィルタ保持部を固定することで、通気経路を狭めることなくしっかりと固定することができる。
【００２５】
上記本発明の態様において、連結部に収容部を設けることにより、通気フィルタ部を強固に固定することができる。
【図面の簡単な説明】
【００２６】
【図１】本発明の実施形態にかかる軒先通気構造が用いられた家屋の例を示す図である。
【図２】本発明の第１実施形態にかかる軒先通気構造の例を示す断面図である。
【図３】図２の軒先通気構造の一部断面斜視図である。
【図４】図２の軒先通気構造に用いられる化粧破風の板状本体の正面図である。
【図５】図４の板状本体の側面図である。
【図６】図２の軒先通気構造に用いられる化粧破風の連結金具の斜視図である。
【図７】図２の軒先通気構造に用いられる化粧破風の部分拡大図である。
【図８】本発明の第２実施形態にかかる軒先通気構造の例を示す断面図である。
【図９】図８の軒先通気構造の一部断面斜視図である。
【図１０】図８の軒先通気構造に用いられる化粧破風の連結金具の使用状態を示す斜視図である。
【図１１】本発明の第３実施形態にかかる軒先通気構造の例を示す断面図である。
【図１２】図１１の軒先通気構造の一部断面斜視図である。
【図１３】図１２の軒先通気構造の拡大図である。
【発明を実施するための形態】
【００２７】
以下、本発明の実施形態に係る通気化粧部材及び当該通気化粧部材を用いた軒先通気構造について、図面を参照しながら説明する。
【００２８】
図１は、本発明の第１実施形態にかかる軒先通気構造が用いられた家屋の例を示す図である。本実施形態にかかる軒先通気構造は、天井裏換気に用いられるものであり、家屋１００の天井１０１に用いられる破風１０２あるいは鼻隠し１０３を用いた軒先通気構造に適用される。以下、本発明の各実施形態にかかる軒下通気構造について詳細に説明する。
【００２９】
（第１実施形態）
図２は、本発明の第１実施形態にかかる軒先通気構造の例を示す断面図である。図３は、図２の軒先通気構造の一部断面斜視図である。本実施形態は、破風を用いた軒先通気構造を例として説明するものであり、図１のII-II線における断面図に相当する。
【００３０】
本実施形態にかかる軒先通気構造１においては、上記の通り本発明にかかる化粧部材を破風板として用いている。本実施形態にかかる軒先通気構造１では、垂木３の上に野地板４を敷いて、瓦などの屋根化粧材（図示なし）を載せる。野地板４の先端部分には水切り板５が設けられる。
【００３１】
また、垂木３の先端側には野縁６が設けられている。野縁６は、垂木３の延在方向に沿って交差する方向に設けられており、当該野縁６に下地材７及び通気胴縁８が固定される。
【００３２】
通気胴縁８は、軒天１０を固定するための部材であり、垂木３と平行に所定の間隔をおいて配置される縦胴縁８ａと、それぞれの縦胴縁の後端部分を連結して補強する横胴縁８ｂとが設けられる。
【００３３】
軒天１０は、通気胴縁８及び家壁９に固定される。また、通気胴縁８によって画定される垂木３及び軒天１０との間の隙間８ｃには、断熱材１１が配置される。
【００３４】
軒天１０を家壁９に係止する軒天取り付け金具１２は、先端側で軒天１０の後端側を上下方向から狭持する一方、後端側で家壁の上端９ａに積載係止する。また、軒天１０の通気胴縁８への固定には、釘１３などの手段が用いられる。
【００３５】
化粧破風２は、破風取り付け金具１４を介して下地材７に固定される。また、下地材７には、けらばに設けられる瓦などの屋根化粧部材（図示なし）によって化粧破風２に荷重が集中しないように、保持部材１５が釘１６などの手段によって固定されている。また、保持部材１５には、水切り板５が釘１７によって固定されている。
【００３６】
化粧破風２は、板状の板状本体２０とフィルタ保持部２１が所定の間隔を置いて設けられた複数の連結金具２２で連結された構成である。板状本体２０とフィルタ保持部２１は、互いの対向面で通気経路２３を画定し、また、通気経路２３内に設けられた通気フィルタ２４を狭持する。
【００３７】
図４は本実施形態の軒先通気構造に用いられる化粧破風の板状本体の正面図である。図５は、図４の板状本体の側面図である。板状本体２０とフィルタ保持部２１は、例えば、セメント系押出成形体からなり、曲げ載荷に際して、好ましくは、引っ張り応力の作用に対しても、多重亀裂を生じて破壊する高い靱性を有するものが好適に使用される。さらに具体的には、繊維補強水硬性組成物の押出成形体を採用し、これにより曲げ載荷に際して、多重亀裂を生じて破壊する性質を持たせたものなどを好適に使用できる。
【００３８】
本実施形態において、板状本体２０は、例えば、幅方向（長手方向）の寸法Ｌ１が３０００ｍｍ、高さ方向（短手方向）寸法Ｈ１が１８０ｍｍ程度、厚み寸法Ｔ１が２５ｍｍ程度の長尺平板上の部材である。なお、板状本体２０の大きさは、必ずしも上記サイズに限定されるものではなく、軒下構造の大きさに応じて適宜変更することができる。
【００３９】
板状本体２０の裏面側には、装飾及びビス留め溝２５が設けられている。ビス留め溝２５は、下地材７にビス止めする際のビス１８（図２参照）のビス留め位置を示すものであり、板状本体２０の幅方向に沿って伸びるように設けられている。
【００４０】
また、板状本体２０の表面側は、破風取り付け金具１４と係止するための固定溝２６、及び連結金具２２の固定リブ２７が長手方向に沿って設けられている。固定溝２６は、断面が鈎型に構成されており、破風取り付け金具１４の係止片１４ａに係止される。
【００４１】
固定リブ２７は、上下方向から連結金具２２に狭持されて連結金具２２を固定する。板状本体２０の固定リブ２７から下方が経路画定領域２８となっており、フィルタ保持部２１が対向配置される。当該経路画定領域２８とフィルタ保持部２１の表面とで挟まれた空間が通気経路として画定される。
【００４２】
フィルタ保持部２１は、上端が連結金具２２に固定され、板状本体２０の経路画定領域２８の対向位置に長手方向に沿って設けられている。
【００４３】
図６は、本実施形態にかかる軒先通気構造に用いられる化粧破風の連結金具の斜視図である。図７は、本実施形態にかかる軒先通気構造に用いられる化粧破風の部分拡大図である。連結金具２２は、一枚の金属板を折り曲げて作成され、本体部４０と板状本体２０の固定リブに接続する第１把持部４１とフィルタ保持部２１の上部と接続する第２把持部４２とを備える。
【００４４】
本体部４０は、第１把持部４１と第２把持部４２とを接続すると供に、剛性をもたせるためにビーム部４３が設けられている。ビーム部４３は、本体前面部４４ａの中央部分を本体後面部側へ折り曲げて作成される。
【００４５】
第１把持部４１は、本体後面部４４ｂの下端に設けられた第１下鈎部４５と本体上面の後方左右側に設けられた第１上鈎部４６とを備える。第１下鈎部４５と第１上鈎部４６との高さ寸法は、板状本体２０の固定リブ２７高さ寸法と一致しており、固定リブ２７を上下からしっかりと狭持できる。
【００４６】
第２把持部４２は、本体前面部４４ａの下端に設けられた第２下鈎部４７と本体正面の前方左右側に設けられた第２上鈎部４８とを備える。第２下鈎部４７と第２上鈎部４８との高さ寸法は、フィルタ保持部２１の上端から後述するフィルタ保持溝３０までの高さ寸法と一致しており、フィルタ保持部２１の上部を上下からしっかりと狭持できる。
【００４７】
連結金具２２は、板状本体２０とフィルタ保持部２１とを連結するために間欠的に配置され、当該金具が設けられていない部分が通気経路として機能する。隣り合う連結金具２２の間隔は特に限定されるものではなく、概ね３０〜１００ｃｍごとに設けることができる。
【００４８】
フィルタ保持部２１と板状本体２０に狭持される通気フィルタ２４は、細長い棒状のメッシュ材料で構成されており、通気をさせつつ防水、防虫機能を持たせた部材である。一例としては、厚み数ｃｍのハニカム材などを好適に用いることができる。
【００４９】
板状本体の経路画定領域及びフィルタ保持部２１の対向面２１ｆには、幅方向に伸びるフィルタ保持溝２９、３０がそれぞれ設けられており、通気フィルタ２４の端部を収容して通気フィルタ２４を保持する。
【００５０】
フィルタ保持部２１の前面には、軒天１０の下側へ張り出した張り出し部３１が設けられている。張り出し部３１を設けることにより、軒天１０と化粧破風２との隙間を小さくすると共に、当該隙間を軒天下側から視認しにくくすることができる。当該軒天１０と化粧破風２との隙間３２には、湿式のシール材などを塗布し、軒天１０と化粧破風２とを接続させる。張り出し部３１によって隙間３２が十分に小さくなるため、湿式のシール材等の塗布を容易にすることができる。
【００５１】
本実施形態にかかる軒先通気構造においては、図２の矢印９０に示すように、板状本体２０とフィルタ保持部２１の隙間を通気経路として機能させることができ、屋根裏と外気との間の換気を行なうことができる。
【００５２】
次に、上記化粧破風を用いた軒先通気構造の施工方法について説明する。本実施形態にかかる軒先通気構造は、上記の化粧破風２を用いることによって、化粧破風２に設けられた通気経路により、屋根裏と外気とが通気できるように構成されており、また、軒天１０の先端は溝形成部の張り出し部３１によって支持されている。
【００５３】
軒下構造の骨組みである垂木３及び野縁６を組みあげる。これらの骨組み構造に下地材７及び下地材７を固定し、通気胴縁８を取り付ける。その後、野地板４、水切り板５、保持部材１５等を取り付ける。
【００５４】
破風取り付け金具１４を位置決めし、下地材７に固定する。上記のように破風取り付け金具１４には、係止片１４ａが設けられており、化粧破風２の上下方向の取り付け位置が決定される。係止片１４ａを化粧破風２の固定溝２６内に挿入し、化粧破風２を下地材７の表面に沿うように配置する。次いで、ビス１８を用いて、化粧破風２を固定する。
【００５５】
次いで、軒天１０の寸法を決定し、通気胴縁８に軒天１０を釘１３及び軒天取り付け金具１２を用いて取り付ける。この際、軒天１０の先端部分は、化粧破風の張り出し部３１の上側に載置されるように軒天の寸法を決定する。張り出し部３１が軒天の下側に張り出しているため、軒天１０と化粧破風２との隙間が外部から視認されにくく、軒天１０の寸法調整を容易にすることができる。
【００５６】
軒天１０を取り付けた後、軒天１０と化粧破風２との隙間３２をシール材で密閉する。
【００５７】
上記のようにして構成された軒先通気構造においては、図２及び図３に示すように、屋根裏と外気とを通気するための通気経路２３が化粧破風２によって形成される。また、この通気経路は、連結金具で接続された２つの部材の対向面により画定されており、大きな空間を角のすることができる。この通気経路は、上下方向に形成されたものであるが、ある程度の長さを有し、さらに内部に通気フィルタ２４が設けられているため、外部から雨水などが浸入しづらく、また、野縁６を腐食させにくい形状となっている。
【００５８】
（第２実施形態）
図８は、本発明の第２実施形態にかかる軒先通気構造の例を示す断面図である。図９は、図８の軒先通気構造の一部断面斜視図である。
【００５９】
第２実施形態にかかる軒先通気構造１ａは、化粧破風２ａの構成を除いて第１実施形態の軒先通気構造１と共通する構造を有する。以下、異なる構成である化粧破風２ａについて主に説明する。
【００６０】
化粧破風２ａは、板状の板状本体２０ａとフィルタ保持部２１ａが所定の間隔を置いて設けられた複数の連結金具２２ａで連結された構成である。板状本体２０ａとフィルタ保持部２１ａは、互いの対向面で通気経路２３を画定し、また、通気経路２３内に設けられた通気フィルタ２４を狭持する。
【００６１】
板状本体２０ａとフィルタ保持部２１ａは、例えば、セメント系押出成形体からなり、曲げ載荷に際して、好ましくは、引っ張り応力の作用に対しても、多重亀裂を生じて破壊する高い靱性を有するものが好適に使用される。さらに具体的には、繊維補強水硬性組成物の押出成形体を採用し、これにより曲げ載荷に際して、多重亀裂を生じて破壊する性質を持たせたものなどを好適に使用できる。
【００６２】
板状本体２０の裏面側には、装飾及びビス留め溝２５が設けられている。ビス留め溝２５は、下地材７にビス止めする際のビス１８（図８参照）のビス留め位置を示すものであり、板状本体２０ａの幅方向に沿って設けられている。
【００６３】
また、板状本体２０ａの表面側は、破風取り付け金具１４と係止するための固定溝２６が長手方向に沿って設けられている。固定溝２６は、断面が鈎型に構成されており、破風取り付け金具１４の係止片１４ａに係止される。
【００６４】
また、固定溝２６の下側には、図８，９に示すように、連結金具２２ａを取り付けるための金具取り付け領域３３が設けられている。本実施形態において、連結金具と板状本体２０ａとは、ビス３４により接続される。
【００６５】
フィルタ保持部２１ａは、板状本体２０との対向面が連結金具２２に固定され、板状本体２０ａの経路画定領域２８の対向位置に長手方向に沿って設けられている。
【００６６】
図１０は、本実施形態にかかる軒先通気構造に用いられる化粧破風の連結金具の使用状態を示す斜視図である。連結金具２２ａは、一枚の金属板を折り曲げて作成された幅１０ｃｍ程度の部材であり、板状本体２０ａに接続する第１連結部５１とフィルタ保持部２１ａと接続する第２連結部５２とを備える。
【００６７】
第１連結部５１は、板状本体２０ａの金具取り付け領域３３に当接できるように構成されており、上記のようにビス３４により板状本体２０ａに固定される。
【００６８】
第２連結部５２は、コの字状をした部材であり、前面５３でフィルタ保持部２１ａ側の裏面に当接し、ビス３５により固定される。また、第２連結部５２は、通気フィルタ２４の外面に沿った形状に構成されており、内側に通気フィルタ２４を収納することができるようになっている。
【００６９】
連結金具２２ａは、板状本体２０ａとフィルタ保持部２１ａとを連結するために間欠的に配置され、当該金具が設けられていない部分が通気経路として機能する。隣り合う固定金具２２ａの間隔は特に限定されるものではなく、概ね３０〜１００ｃｍごとに設けることができる。また、図１０に示すように、複数の連結金具２２ａによって通気フィルタ２４が把持され、通気経路２３内に配置される。
【００７０】
フィルタ保持部２１ａと板状本体２０ａに狭持される通気フィルタ２４は、細長い棒状のメッシュ材料で構成されており、通気をさせつつ、防水、防虫機能を持たせた部材である。一例としては、厚み数ｃｍのハニカム材などを好適に用いることができる。
【００７１】
板状本体の経路画定領域には、連結金具２２ａの第２連結部５２の先端部分を収容する収容溝３６が設けられている。板状本体２０ａとフィルタ保持部２１ａとが接続された状態で第２連結部５２の先端部分が溝内に逃げ込み、通気フィルタ２４が板状本体の経路画定領域に密着できるようになっている。
【００７２】
フィルタ保持部２１ａの前面には、軒天１０の下側へ張り出した張り出し部３１が設けられている。張り出し部３１を設けることにより、軒天１０と化粧破風２ａとの隙間を小さくすると共に、当該隙間を軒天下側から視認しにくくすることができる。当該軒天１０と化粧破風２ａとの隙間３２には、湿式のシール材などを塗布し、軒天１０と化粧破風とを接続させる。張り出し部３１によって隙間３２が十分に小さくなるため、湿式のシール材等の塗布を容易にすることができる。
【００７３】
本実施形態にかかる軒先通気構造においては、図８の矢印９０に示すように、板状本体２０ａとフィルタ保持部２１ａの隙間を通気経路として機能させることができ、屋根裏と外気との間の換気を行なうことができる。
【００７４】
（第３実施形態）
図１１は、本発明の第３実施形態にかかる軒先通気構造の例を示す断面図である。図１２は、図１１の軒先通気構造の一部断面斜視図である。
【００７５】
第３実施形態にかかる軒先通気構造１ｂは、化粧破風２ｂ及びフィルタ保持部２1ｂの固定手段の構成を除いて第１実施形態の軒先通気構造１と共通する構造を有する。以下、異なる構成である化粧破風２ｂについて主に説明する。
【００７６】
化粧破風２ｂは、所定の間隔を置いて設けられた複数の連結金具２２ｂによって、板状の板状本体２０ｂの経路画定領域２８の対向位置にフィルタ保持部２１ｂが連結された構成である。板状本体２０ｂとフィルタ保持部２１ｂは、互いの対向面で通気経路２３を画定し、また、通気経路２３内に設けられた通気フィルタ２４を狭持する。
【００７７】
板状本体２０ｂとフィルタ保持部２１ｂは、例えば、セメント系押出成形体からなり、曲げ載荷に際して、好ましくは、引っ張り応力の作用に対しても、多重亀裂を生じて破壊する高い靱性を有するものが好適に使用される。さらに具体的には、繊維補強水硬性組成物の押出成形体を採用し、これにより曲げ載荷に際して、多重亀裂を生じて破壊する性質を持たせたものなどを好適に使用できる。
【００７８】
板状本体２０ｂの裏面側には、装飾及びビス留め溝２５が設けられている。ビス留め溝２５は、下地材７にビス止めする際のビス１８（図１１参照）のビス留め位置を示すものであり、板状本体２０ｂの幅方向に沿って設けられている。
【００７９】
また、板状本体２０ｂの表面側は、破風取り付け金具１４と係止するための固定溝２６が長手方向に沿って設けられている。固定溝２６は、断面が鈎型に構成されており、破風取り付け金具１４の係止片１４ａに係止される。
【００８０】
また、固定溝２６の下側は、経路画定領域２８となっており、フィルタ保持部２１ｂが間隔をおいて対向配置される。板状本体２０ｂの経路画定領域には、幅方向に伸びるフィルタ保持溝２９ｂが設けられており、通気フィルタ２４の端部を収容して通気フィルタ２４を保持する。
【００８１】
フィルタ保持部２１ｂは、前面側が連結金具２２ｂに固定される。図１３は、本実施形態にかかる軒先通気構造の部分拡大図である。連結金具２２ｂは、金属で作成された幅１０ｃｍ程度の部材であり、下地材７に接続する第１連結部５５とフィルタ保持部２１ａと接続する第２連結部５６とを備えた断面Ｌ字型の部材である。
【００８２】
第１連結部５５は、下地材７の下面に当接できるように構成されており、上記のようにビス３６により下地材７に固定される。第２連結部５６は、フィルタ保持部２１ｂの前面に固定される。
【００８３】
連結金具２２ｂは、板状本体２０とフィルタ保持部２１とを連結するために間欠的に配置される。隣り合う固定金具２２ｂの間隔は特に限定されるものではなく、概ね３０〜１００ｃｍごとに設けることができる。
【００８４】
フィルタ保持部２１ｂと板状本体２０ｂに狭持される通気フィルタ２４は、細長い棒状のメッシュ材料で構成されており、通気をさせつつ防水、防虫機能を持たせた部材である。一例としては、厚み数ｃｍのハニカム材などを好適に用いることができる。
【００８５】
フィルタ保持部２１ｂの前面には、軒天１０の下側へ張り出した張り出し部３１が設けられている。張り出し部３１を設けることにより、軒天１０と化粧破風２ｂとの隙間を小さくすると共に、当該隙間を軒天下側から視認しにくくすることができる。当該軒天１０と化粧破風２ｂとの隙間３２には、湿式のシール材などを塗布し、軒天１０と化粧破風とを接続させる。張り出し部３１によって隙間３２が十分に小さくなるため、湿式のシール材等の塗布を容易にすることができる。
【００８６】
本実施形態にかかる軒先通気構造においては、図１１の矢印９０に示すように、板状本体２０ｂとフィルタ保持部２１ｂの隙間を通気経路として機能させることができ、屋根裏と外気との間の換気を行なうことができる。
【００８７】
以上説明したように、本発明の各実施形態の軒先通気構造によれば、化粧破風２に板状本体２０とフィルタ保持部２１により、両者で画定される領域を通気経路として用いることができる。また、板状本体２０から軒天１０側に突出してフィルタ保持部２１が設けられていることにより、軒天との隙間を小さくすることができ、軒天１０の寸法調整を容易にすることができる。
【００８８】
なお、本発明は上記実施形態に限定されるものではなく、その他種々の態様で実施可能である。
【００８９】
また、本発明の化粧部材は、上記実施形態の破風板にのみ限定されるものではなく、鼻隠し材などにも使用することが可能である。
【符号の説明】
【００９０】
１，１ａ，１ｂ  軒先通気構造
２，２ａ，２ｂ  化粧破風
３  垂木
４  野地板
５  水切り板
６  野縁
７  下地材
８  通気胴縁
９  家壁
１０  軒天
１１  断熱材
１２  軒天取り付け金具
１３，１６，１７  釘
１４  破風取り付け金具
１５  保持部材
１８，３４，３５  ビス
２０，２０ａ，２０ｂ  板状本体
２１，２１ａ，２１ｂ  フィルタ保持部
２２，２２ａ，２２ｂ  連結金具
２３  通気経路
２４  通気フィルタ
２５  ビス留め溝
２６  固定溝
２７  固定リブ
２８  経路画定領域
２９，２９ｂ，３０  フィルタ保持溝
３１  張り出し部
３２  隙間
３６  収容溝
４０  本体部
４１  第１把持部
４２  第２把持部
４３  ビーム部
４４ａ  本体前面部
４４ｂ  本体後面部
４５  第１下鈎部
４６  第１上鈎部
４７  第２下鈎部
４８  第２上鈎部
５１，５５  第１連結部
５２，５６  第２連結部
【図１】
0005775429.tif 000002
【図２】
0005775429.tif 000003
【図３】
0005775429.tif 000004
【図４】
0005775429.tif 000005
【図５】
0005775429.tif 000006
【図６】
0005775429.tif 000007
【図７】
0005775429.tif 000008
【図８】
0005775429.tif 000009
【図９】
0005775429.tif 000010
【図１０】
0005775429.tif 000011
【図１１】
0005775429.tif 000012
【図１２】
0005775429.tif 000013
【図１３】
0005775429.tif 000014